(57)【要約】【課題】本発明は、可聴ノイズの発生を抑えることのできるタッチパネル表示装置を提供することを課題とする。【課題手段】本発明に係るタッチパネル表示装置の特徴は、液晶表示装置等の表示装置１４の表面側にタッチパネル１３が配置されたタッチパネル表示装置において、タッチパネル１３の裏面側、又は、表示装置１４の表面側の少なくとも一方に、たとえば帯電防止剤を含有した透明樹脂層からなる帯電防止手段１８，２０を施した点にある。【選択図】図２
2005293289.tif 000002
【特許請求の範囲】
【請求項１】
表示装置の表面側にタッチパネルが配置されたタッチパネル表示装置において、タッチパネルの裏面側、又は、表示装置の表面側の少なくとも一方に帯電防止手段を施したことを特徴とするタッチパネル表示装置。
【請求項２】
請求項１記載のタッチパネル表示装置であって、
前記帯電防止手段は、タッチパネルの裏面、又は、表示装置の表面に塗装された帯電防止剤から構成されていることを特徴とするタッチパネル表示装置。
【請求項３】
請求項１記載のタッチパネル表示装置であって、
前記帯電防止手段は、タッチパネルの裏面、又は、表示装置の表面に設けられた帯電防止剤を含有した透明樹脂層から構成されていることを特徴とするタッチパネル表示装置。
【請求項４】
請求項１記載のタッチパネル表示装置であって、
前記帯電防止手段は、タッチパネルを構成する裏面部材、又は、表示装置を構成する表面部材に含有された帯電防止剤から構成されていることを特徴とするタッチパネル表示装置。
【請求項５】
表示装置の表面側にタッチパネルが配置されたタッチパネル表示装置において、タッチパネルと表示装置との間には、透明部材が介在されていることを特徴とするタッチパネル表示装置。
【発明の詳細な説明】
【技術分野】
【０００１】
本発明は、表示装置の表面側にタッチパネルが設けられたタッチパネル表示装置に関するものである。
【背景技術】
【０００２】
従来よりタッチパネル表示装置としては、たとえば図１に示すように、液晶表示装置の表面側に一定隙間をもってタッチパネルが配置されたものが公知である。なお、図１は従来のタッチパネルを有するタッチパネル表示装置の構造断面簡略図である。この図示例のタッチパネル表示装置のタッチパネル１の構成としては、上部電極３と下部電極５とが空気層４からなる一定隙間をもって配されている。そして、上部電極３をタッチペン等で押す事により下部電極５と接触し、その位置情報を信号として検出する仕組みとなっている。
【０００３】
また、上記タッチパネル表示装置の液晶表示装置２の構成としては、液晶層９をガラスパネル８とガラスパネル１０で挟み、その外側に表偏光板７及び裏偏光板１１を貼り付けた構造となっている。なお、バックライトユニット１２については、透過型液晶の場合は必要であるが反射型液晶では不要である。
【０００４】
上述のタッチパネル１と液晶表示装置２との間には空気層６（隙間）が存在し、タッチパネル１はシャーシ等を用いて液晶表示装置２に固定するのが一般的な方法である。
【０００５】
上述のような、タッチパネルを有する液晶表示装置においては、一般的に人間の耳の可聴範囲とされている２０〜２０ｋＨｚに入る可聴ノイズが発生する場合がある。
【０００６】
この原因について発明者らが鋭意検討したところによると、図１における液晶表示装置２に入力される駆動信号が持つ電界エネルギーＥと、タッチパネル１と液晶表示装置２の間に存在する空気層６の帯電量Ｑの間には、Ｆ＝ＱＥという関係が成り立ち（このＦとはタッチパネル１を振動させる力を指す）、この振動が人間の耳の可聴範囲２０〜２０ｋＨｚに入っている場合、可聴ノイズとして発生することを判明した。そして、この可聴ノイズは空気層６の帯電量Ｑの大きさに比例して大きくなる。
【０００７】
さらに、タッチペン等で書き込みを行なった時に、タッチパネル１の下部電極５と液晶表示装置２の表偏光板７が接触する場合があり、この時に、接触帯電、剥離帯電及び摩擦帯電が発生すると考えられる。この接触帯電、剥離帯電及び摩擦帯電が繰り返されると帯電量Ｑは大きくなる。よって帯電量Ｑが大きくならない構造が必要となる。
【０００８】
なお、特許文献１には、タッチパネルの静電気対策として、タッチパネル表面に帯電防止層を設けたものが開示されているが、これは、可聴ノイズの発生を抑制する機能を有するものではない。
【特許文献１】特開平５−３２４１７２号
【発明の開示】
【発明が解決しようとする課題】
【０００９】
そこで、本発明は、可聴ノイズの発生を抑えることのできるタッチパネル表示装置を提供することを課題とする。
【課題を解決するための手段】
【００１０】
本発明は上記課題を解決すべくなされたものであり、本発明に係るタッチパネル表示装置の特徴は、表示装置の表面側にタッチパネルが配置されたタッチパネル表示装置において、タッチパネルの裏面側、又は、表示装置の表面側の少なくとも一方に帯電防止手段を施した点にある。
【００１１】
上記構成を採用した本発明によれば、帯電防止手段によってタッチパネルと表示装置との間に存在する帯電量が大きくならなることを防止することができ、これにより、この空気層において発生する可聴ノイズの発生を的確に防止することが可能となる。なお、帯電防止手段は、タッチパネルの裏面側と表示装置の表面側との双方に設けることが好ましい。
【００１２】
なお、前記帯電防止手段としては、タッチパネルの裏面または表示装置の表面に塗装した帯電防止剤から構成することが可能である。この構造によりタッチペン等で書き込みを行なった時も、直接タッチパネルの裏面（たとえば下部電極）と表示装置の表面（たとえば表偏光板）が接触することがなく、これにより接触帯電、剥離帯電及び摩擦帯電の発生を抑えることができ、この面における帯電量が大きくなることがないので結果として可聴ノイズを的確に防止することができる。
【００１３】
また、帯電防止手段としては、タッチパネルの裏面または表示装置の表面に設けた帯電防止剤を含有した透明樹脂層から構成することが可能である。この構造によりタッチペン等で書き込みを行なった時も、直接タッチパネルの裏面（たとえば下部電極）と表示装置の表面（偏光板）が接触することがなく、これにより接触帯電、剥離帯電及び摩擦帯電の発生を抑えることができ、この面における帯電量が大きくなる事はないので結果として可聴ノイズを的確に防止することができる。また、帯電防止剤が透明樹脂層に含有されている為に摩擦等にも強く持続性が期待できる。
【００１４】
さらに、帯電防止手段としては、タッチパネルの裏面部材または表示装置の表面部材に帯電防止剤を含有したものを用いた構造とすることが可能である。この構造によりタッチペン等で書き込みを行なった時も、直接タッチパネルの裏面（たとえば下部電極）と表示装置の表面（偏光板）が接触することがなく、これにより接触帯電、剥離帯電及び摩擦帯電の発生を抑えることができ、この面における帯電量が大きくなる事はないので結果として可聴ノイズを的確に防止することができる。また、帯電防止剤が透明樹脂層に含有されている為に摩擦等にも強く持続性が期待できる。
【００１５】
また、本発明に係るタッチパネル表示装置としての特徴は、タッチパネルと表示装置との間には、透明部材が介在されている点にある。
【００１６】
該構成を採用した場合にあっては、タッチペン等で書き込みを行なった時に、直接タッチパネルの裏面（たとえば下部電極）と表示装置の表面（たとえば偏光板）とが接触する事がなく、このため、接触帯電、剥離帯電及び摩擦帯電の発生を抑える事ができ、これらの面における帯電量Ｑが大きくなることがなく、結果として可聴ノイズの発生を的確に抑制することができ、しかも、帯電防止剤を使用する必要がない。
【発明の効果】
【００１７】
上述のように、本発明によって、タッチペン等で書き込みを行なった時に、タッチパネルと液晶表示装置とが接触して発生する各接触面における接触帯電、剥離帯電及び摩擦帯電が抑制され、タッチパネルと液晶表示装置の間に存在する空気層の帯電量Ｑを抑制することができ、このため、可聴ノイズの発生を的確に防止することができる。よって、ＰＤＡ等、人が身近で使用する電子機器の可聴ノイズを抑える事ができ、産業上大きな効果が期待できる。
【発明を実施するための最良の形態】
【００１８】
以下。本発明に係るパネルタッチ表示装置の一例として、タッチパネル液晶表示装置を例にとり説明する。図２は、本発明の第１実施形態に係るタッチパネル液晶表示装置の構造断面図である。図３は、本発明の第２実施形態に係るタッチパネル液晶表示装置の構造断面図である。図４は、本発明の第３実施形態に係るタッチパネル液晶表示装置の構造断面図である。
【００１９】
（第１実施形態）
本実施形態のタッチパネル液晶表示装置は、液晶表示装置１４の表面にタッチパネル１３が一定隙間（空気層１９）をもって配された構成からなり、タッチパネル１３と液晶表示装置１４との互いに対向する面に該面の帯電を防止する帯電防止手段１８，２０が設けられた構成からなる。
【００２０】
具体的には、前記タッチパネル１３の構成は、従来と同様に、上部電極が下面（裏面）に形成された上部板材１５と、下部電極が上面（表面）に形成された下部板材１７とが、両者の間に空気層１６が存在するように配されており、上部板材１５がタッチペン等で押されることによって、その押圧部分において上部板材１５と下部板材１７とが物理的に接触して、上部電極及び下部電極が通電し、その接触位置（押圧位置）を信号によって検出する仕組みであり、従来のタッチパネルと同様の機能を有する。
【００２１】
そして、本実施形態のタッチパネル１３においては、前記下部板材１７の下面（裏面）に帯電防止剤を含有した透明樹脂層１８（帯電防止手段）が設けられている。ここで、帯電防止剤は、一般的なアニオン活性剤、カチオン活性剤、両性活性剤、非イオン活性剤等のいずれも簡易に使用することができる。
【００２２】
また、前記液晶表示装置１４の構成は、従来と同様に、液晶層２３を一対のガラスパネル２２，２４（基板）で挟み、その外側に表偏光板２１及び裏偏光板２５を貼り付けた構造となっている。また、裏偏光板２５の裏面側には、バックライトユニット２６が設けられている。なお、このバックライトユニット２６については、従来と同様に、透過型液晶の場合は必要であるが反射型液晶では不要である。
【００２３】
本実施形態の液晶表示装置１４にあっては、前記表偏光板２１の表面（タッチパネル１３と対向する面）に帯電防止剤を含有した透明樹脂層２０が設けられている。ここで、帯電防止剤は、前述と同様に一般的なアニオン活性剤等を採用することができる。
【００２４】
本実施形態のタッチパネル液晶表示装置は、上述の帯電防止剤を含有したタッチパネル側の透明樹脂層１８と、帯電防止剤を含有した液晶表示装置側の透明樹脂層２０との間に空気層１９が存在するように設けられており、前記タッチパネル１３は従来と同じくシャーシ等を用いて液晶表示装置１４に固定されている。
【００２５】
なお、上記第一実施形態における帯電防止剤を含有した透明樹脂層１８，２０に代えて、帯電防止材を下部板材１７の裏面及び表偏光板２１の表面に帯電防止剤を塗装して、帯電防止可能な層を形成することも可能である。
【００２６】
（第２実施形態）
次に、第２実施形態のタッチパネル液晶表示装置について図３を参酌しつつ以下説明するが、第１実施形態と同様の構成を有する部分については、同一符号を用いてその説明を省略する。
【００２７】
第２実施形態のタッチパネル液晶表示装置は、図３に示すように、タッチパネル１３の下部部材１７に、帯電防止剤が含有されている。また、液晶表示装置１４の表偏光板２１（タッチパネルと対向する偏光板）には、帯電防止剤が含有されている。
【００２８】
なお、第２実施形態においては、タッチパネル１３及び液晶表示装置１４には、第１実施形態で説明したような透明樹脂層は設けられていない。
【００２９】
（第３実施形態）
次に、第３実施形態のタッチパネル液晶表示装置について図４を参酌しつつ以下説明するが、第１又は第２実施形態と同様の構成を有する部分については、同一符号を用いてその説明を省略する。
【００３０】
第３実施形態のタッチパネル液晶表示装置は、図４に示すように、タッチパネル１３と液晶表示装置１４とが一定隙間をもって配されているものの、この隙間部分には帯電防止部材４４が介在されている。具体的には、タッチパネル１３と液晶表示装置１４との間に空気層に変わり透明樹脂層（シリコーンゲル等）４４が設けられている。なお、この帯電防止手段たる透明樹脂層は、上記したシリコーンゲルに限られず、種々の材料から構成することができる。
【００３１】
なお、第３実施形態においては、タッチパネル１３及び液晶表示装置１４には、第１実施形態で説明したような透明樹脂層は設けられておらず、第２実施形態で説明したような帯電防止手段が設けられている。つまり、タッチパネル１３の下部部材１７、及び、液晶表示装置１４の表偏光板２１には、帯電防止剤が含有されている。
【００３２】
なお、本発明は上記各実施形態で説明した構成に限定されるものではなく、本発明の意図する範囲内において適宜設計変更可能であり、特に、上記各実施形態においては液晶表示装置を有するものについてのみ説明したが、たとえば、有機ＥＬ等からなる表示装置の表面にタッチパネルが設けられたもの等についても適用可能である。
【図面の簡単な説明】
【００３３】
【図１】従来のタッチパネルを有する液晶表示装置の構造断面図である。
【図２】本発明の第１実施形態に係るタッチパネル液晶表示装置の構造断面図である。
【図３】本発明の第２実施形態に係るタッチパネル液晶表示装置の構造断面図である。
【図４】本発明の第３実施形態に係るタッチパネル液晶表示装置の構造断面図である。
【符号の説明】
【００３４】
１３  タッチパネル
１４  液晶表示装置
１５  上部板材
１６  空気層
１７  下部板材
１８  透明樹脂層
１９  空気層
２０  透明樹脂層
２１  表偏光板
２２，２４  ガラスパネル
２３  液晶層
２５  裏偏光板
２６  バックライトユニット
４４  透明樹脂層
【図１】
2005293289.tif 000003
【図２】
2005293289.tif 000004
【図３】
2005293289.tif 000005
【図４】
2005293289.tif 000006